(57)【要約】【課題】被梱包物の保護性・荷扱い性に優れた梱包装置を提供する。【解決手段】被梱包物１の両端部に被梱包物１を支持する緩衝材２を当てがえて筒状の外装箱３に被梱包物１を挿入して結束バンド５で封函する梱包装置において、緩衝材２の中央部に、外形を形成する外形面１０より内側へ凹んだ段差部６を設け、段差部６と両側の外形面１０を傾斜面７で繋ぎ、段差部６に結束バンド５を巻き付けるもので、保管時に、積載荷重によって緩衝材２と外装箱３の圧縮で生じる結束バンド５の緩みや荷扱い時の結束バンド５の緩みが発生した場合に、結束バンド５を傾斜面７に沿って緩衝材２の外形面１０側に容易に移動させることが出来るため、結束バンド５の緩みを吸収することができ、再び被梱包物１の保持が確実に行え保護性が向上する共に巻き直しを行う作業が不要となる。【選択図】図１
2008137708.tif 000002
【特許請求の範囲】
【請求項１】
被梱包物の両端部に前記被梱包物を支持する緩衝材を当てがえて筒状の外装箱に前記被梱包物を挿入して結束バンドで封函する梱包装置において、前記緩衝材の中央部に、外形を形成する外形面より内側へ凹んだ段差部を設け、前記段差部と両側の前記外形面を傾斜面で繋ぎ、前記段差部に前記結束バンドを巻き付けることを特徴とする梱包装置。
【請求項２】
被梱包物の両端部に前記被梱包物を支持する緩衝材を当てがえて筒状の外装箱に前記被梱包物を挿入して結束バンドで封函する梱包装置において、前記緩衝材の外形面の結束バンドを配置する位置に凹部を設け、前記凹部内に前記結束バンドを引っ掛ける突起部を設けたことを特徴とする梱包装置。
【発明の詳細な説明】
【技術分野】
【０００１】
本発明は、梱包装置に関するもので、特に、分離型空気調和機の室内機など長尺の被梱包物の梱包に用いられる梱包装置に関するものである。
【背景技術】
【０００２】
従来この種の梱包装置としては、図４、図５に示すようなものがあった。図４は、従来の梱包装置の分解斜視図、図５は、同梱包装置の部分斜視図である。
【０００３】
図４、図５において、従来の梱包装置は、空気調和機等の被梱包物１に汚れや傷付きを防ぐための袋４を被せ、両端部に、輸送中の衝撃を吸収する緩衝材２を当てがい支持し、それを筒状の外装箱３に収納し、結束バンド５にて梱包を完了するものである（例えば、特許文献１参照）。
【特許文献１】特開平０８−１１９３６９号公報
【発明の開示】
【発明が解決しようとする課題】
【０００４】
しかしながら、前記従来の梱包装置の構成では、保管時における積載荷重によって、緩衝材２と外装箱３が圧縮され、結束バンド５に緩みが生じ、緩衝材２の外れや梱包装置内でのガサツキによって、被梱包物１に傷付きが発生していた。また、輸送においても結束バンド５を持って荷扱いされるため、バンド５を持った時に、緩衝材２が潰れ、緩みが生じ易く、荷扱い性が悪くなるため、結束バンド５を再巻き付けする必要が有り、作業性を著しく低下させるなどの課題を有していた。
【０００５】
本発明は、前記従来の課題を解決するものであり、構造を複雑化すること無く被梱包物の保護性・荷扱い性に優れた梱包装置を提供することを目的とする。
【課題を解決するための手段】
【０００６】
前記従来の課題を解決するために、本発明の梱包装置は、被梱包物の両端部に前記被梱包物を支持する緩衝材を当てがえて筒状の外装箱に前記被梱包物を挿入して結束バンドで封函する梱包装置において、前記緩衝材の中央部に、外形を形成する外形面より内側へ凹んだ段差部を設け、前記段差部と両側の前記外形面を傾斜面で繋ぎ、前記段差部に前記結束バンドを巻き付けるもので、傾斜面に沿って結束バンドを容易に移動させることが出来るため、保管時に、積載荷重によって緩衝材と外装箱の圧縮で生じる結束バンドの緩みや荷扱い時の結束バンドの緩みが発生した場合に、緩衝材の外形面側に結束バンドを移動させることより段差部にて結束バンドの緩みを吸収することができ、再び被梱包物の保持が確実に行え保護性が向上する共に巻き直しを行う作業が不要となるものである。
【０００７】
また、本発明の梱包装置は、被梱包物の両端部に前記被梱包物を支持する緩衝材を当てがえて筒状の外装箱に前記被梱包物を挿入して結束バンドで封函する梱包装置において、前記緩衝材の外形面の結束バンドを配置する位置に凹部を設け、前記凹部内に前記結束バンドを引っ掛ける突起部を設けたもので、結束バンドが突起部に引っ掛けられているので、保管・輸送時の荷扱いでの結束バンドの緩みを吸収することができ、再び被梱包物の保持が確実に行え保護性が向上する共に巻き直しを行う作業が不要となるものである。
【発明の効果】
【０００８】
本発明の梱包装置は、構造を複雑化すること無く、被梱包物の保護性・荷扱い性に優れたものである。
【発明を実施するための最良の形態】
【０００９】
第１の発明は、被梱包物の両端部に前記被梱包物を支持する緩衝材を当てがえて筒状の外装箱に前記被梱包物を挿入して結束バンドで封函する梱包装置において、前記緩衝材の中央部に、外形を形成する外形面より内側へ凹んだ段差部を設け、前記段差部と両側の前記外形面を傾斜面で繋ぎ、前記段差部に前記結束バンドを巻き付けるもので、傾斜面に沿って結束バンドを容易に移動させることが出来るため、保管時に、積載荷重によって緩衝材と外装箱の圧縮で生じる結束バンドの緩みや荷扱い時の結束バンドの緩みが発生した場合に、緩衝材の外形面側に結束バンドを移動させることより段差部にて結束バンドの緩みを吸収することができ、再び被梱包物の保持が確実に行え保護性が向上する共に巻き直しを行う作業が不要となるものである。
【００１０】
第２の発明は、被梱包物の両端部に前記被梱包物を支持する緩衝材を当てがえて筒状の外装箱に前記被梱包物を挿入して結束バンドで封函する梱包装置において、前記緩衝材の外形面の結束バンドを配置する位置に凹部を設け、前記凹部内に前記結束バンドを引っ掛ける突起部を設けたもので、結束バンドが突起部に引っ掛けられているので、保管・輸送時の荷扱いでの結束バンドの緩みを吸収することができ、再び被梱包物の保持が確実に行え保護性が向上する共に巻き直しを行う作業が不要となるものである。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における梱包装置の部分斜視図である。
【００１３】
図１において、１は、分離型の空気調和機の室内機などの被梱包物で、２は、被梱包物１の左右両端部を支持する緩衝材で、梱包保管時の積載荷重を支えるとともに輸送時の落下などの外力より被梱包物１を保護するものである。そして、被梱包物１の両端を支持した状態で緩衝材２を、段ボール材からなり筒状に形成された外装箱３に挿入し、結束バンド５にて封函され梱包作業が完了するものである。
【００１４】
本実施の形態では、被梱包物１の両端部を支持する緩衝材２は、図１に示すように、中央部に外形を形成する外形面１０より内側へ凹んだ段差部６を設け、段差部６と両側の外形面１０を傾斜面７で繋ぎ、図１中の２点鎖線で示すように、段差部６に結束バンド５を巻き付ける形状となっている。
【００１５】
以上のように、本実施の形態によれば、結束バンド５を容易に移動させることが出来る構造になるため、保管時における積載荷重によって緩衝材２と外装箱３の圧縮で生じる結束バンド５の緩みや荷扱い時の結束バンド５の緩みが発生した場合に、緩衝材２の外形面側に結束バンド５を移動させることにより段差部６にて結束バンドの緩みを吸収することができ、再び被梱包物１の保持が確実に行え保護性が向上する共に巻き直しを行う作業が不要となるものである。
【００１６】
（実施の形態２）
図２は、本発明の第２の実施の形態における梱包装置の部分斜視図、図３は、図２のＡ−Ａ線断面図である。なお、上記第１の実施の形態における梱包装置と同一部分については、同一符号を付して、その説明を省略する。
【００１７】
本実施の形態における梱包装置は、図２、図３に示すように、緩衝材２の外形面１０の結束バンド５を配置する位置に凹部８を設け、その凹部８内に、結束バンド５を引っ掛け
る突起部９を形成したものである。
【００１８】
以上のように本実施の形態によれば、結束バンド５が凹部８内の突起部９に引っ掛けられる構造になっているため、保管・輸送時の荷扱いでの結束バンド５の緩みを吸収することができ、再び被梱包物１の保持が確実に行うことができ、保護性が向上する共に巻き直しを行う作業が不要となる。
【産業上の利用可能性】
【００１９】
以上のように、本発明に係る梱包装置は、構造を複雑化すること無く、被梱包物の保護性・荷扱い性の向上が可能となるもので、結束バンドを用いて支持する比較的軽量な梱包装置に適用できる。
【図面の簡単な説明】
【００２０】
【図１】本発明の実施の形態１における梱包装置の部分斜視図
【図２】本発明の実施の形態２における梱包装置の部分斜視図
【図３】図２のＡ−Ａ線断面図
【図４】従来の梱包装置の分解斜視図
【図５】同梱包装置の部分斜視図
【符号の説明】
【００２１】
１  被梱包物
２  緩衝材
３  外装箱
４  袋
５  結束バンド
６  段差部
７  傾斜面
８  凹部
９  突起部
１０  外形面
【図１】
2008137708.tif 000003
【図２】
2008137708.tif 000004
【図３】
2008137708.tif 000005
【図４】
2008137708.tif 000006
【図５】
2008137708.tif 000007